(57)【要約】【課題】記憶させたデータを非接触で読み取ることができる半導体チップを応用して、コピー制限などを行う。【解決手段】本発明にかかる原稿用紙４０には、非接触でデータの読み出しが可能なＩＣチップ３が付されている。このＩＣチップ３には、原稿用紙４０においてコピーが禁止される特定領域４００などを示すレイアウト情報などが記憶されている。原稿用紙４０の画像がコピーされる場合には、通常領域４０２の画像のみが印刷され、レイアウト情報が示す特定領域４００の画像は削除され、コピーされない。【選択図】　　　　　図３
2004088586.tif 000002
【特許請求の範囲】
【請求項１】
画像が表示された画像表示部材と、画像出力装置とを有する画像出力システムであって、前記画像の全部または一部の領域は特定領域とされ、前記特定領域に含まれる画像は、読み取られたままでの出力が禁止され、
前記画像表示部材は、
前記画像の特定領域を示す特定領域データを記憶し、前記記憶された特定領域データを、外部に対して提供するデータ提供装置
を有し、
前記画像形成装置は、
前記表示された画像を読み取る画像読取手段と、
前記提供される特定領域データを読み取るデータ読取手段と、
前記読み取られた画像の特定領域に含まれる画像に対して所定の処理を行う画像処理手段と、
前記特定領域に対する処理がなされた画像を出力する画像出力手段
とを有する画像出力システム。
【請求項２】
画像表示部材に表示された画像を出力する画像出力装置であって、前記画像の全部または一部の領域は特定領域とされ、前記特定領域に含まれる画像は、読み取られたままでの出力が禁止され、前記画像表示部材は、前記画像の特定領域を示す特定領域データを記憶し、前記記憶された特定領域データを、外部に対して提供し、
前記表示された画像を読み取る画像読取手段と、
前記提供される特定領域データを読み取るデータ読取手段と、
前記読み取られた画像の特定領域に含まれる画像に対して所定の処理を行う画像処理手段と、
前記特定領域に対する処理がなされた画像を出力する画像出力手段
とを有する画像出力装置。
【請求項３】
前記画像処理手段は、前記特定領域内の画像の出力を禁止する処理を行い、
前記画像出力手段は、前記特定領域以外の画像を出力する
請求項２に記載の画像出力装置。
【請求項４】
前記画像出力手段は、前記前記特定領域以外の画像を、画像形成用の部材に対して形成する
請求項３に記載の画像出力装置。
【請求項５】
前記画像処理手段は、前記特定領域内の画像を示す第１の画像データを暗号化する処理を行い、
前記画像出力手段は、前記暗号化された第１の画像データと、前記特定領域以外の画像を示す第２の画像データとを出力する
請求項２に記載の画像出力装置。
【請求項６】
前記画像出力手段は、前記暗号化された第１の画像データと、前記第２の画像データとを伝送する
請求項５に記載の画像出力装置。
【請求項７】
画像表示部材に表示された画像を出力する画像出力方法であって、前記画像の全部または一部の領域は特定領域とされ、前記特定領域に含まれる画像は、読み取られたままでの出力が禁止され、前記画像表示部材は、前記画像の特定領域を示す特定領域データを記憶し、前記記憶された特定領域データを、外部に対して提供し、
前記表示された画像を読み取り、
前記提供される特定領域データを読み取り、
前記読み取られた画像の特定領域に含まれる画像に対して所定の処理を行い、
前記特定領域に対する処理がなされた画像を出力する
画像出力方法。
【請求項８】
画像表示部材に表示された画像を、コンピュータを用いて出力する画像出力装置において画像を出力するプログラムであって、前記画像の全部または一部の領域は特定領域とされ、前記特定領域に含まれる画像は、読み取られたままでの出力が禁止され、前記画像表示部材は、前記画像の特定領域を示す特定領域データを記憶し、前記記憶された特定領域データを、外部に対して提供し、
前記表示された画像を読み取るステップと、
前記提供される特定領域データを読み取るステップと、
前記読み取られた画像の特定領域に含まれる画像に対して所定の処理を行うステップと、
前記特定領域に対する処理がなされた画像を出力するステップと
を前記コンピュータに実行させるプログラム。
【発明の詳細な説明】
【０００１】
【発明の属する技術分野】
本発明は、原稿に付された非接触メモリを用いてコピーの制限を行う画像出力システムおよびその方法に関する。
【０００２】
【従来の技術】
例えば、「ＭＹＣＯＭ　ＰＣ　ＷＥＢ，　ＮＥＷＳ　ＨＥＡＤＬＩＮＥ，　（２００２年７月５日；　ｈｔｔｐ：／／ｐｃｗｅｂ．ｍｙｃｏｍ．ｃｏ．ｊｐ／ｎｅｗｓ／２００１／０７／０５／２２．ｈｔｍｌ）」（文献１）は、記憶したデータを、外部から非接触で読み取ることができる小型の半導体チップ（「ミューチップ」）を開示する。
また、「特開２００１−２２９１９９号公報」、「特開２０００−２８５２０３号公報」、「特開２００１−１３４６７２号公報」、「特開２００１−２８３０１１号公報」、「特開２００１−１４８０００号公報」および「特開２００１−２６０５８０号公報」（文献２〜８）は、上述の半導体チップの応用例を開示する。
【０００３】
【発明が解決しようとする課題】
本発明は、上述した背景からなされたものであり、記憶させたデータを非接触で読み取ることができる半導体チップを応用して、画像のコピーの制限および送信制限を行うことができる画像出力システムおよびその方法を提供することを目的とする。
【０００４】
【課題を解決するための手段】
［画像出力システム］
上記目的を達成するために、本発明にかかる画像出力システムは、画像が表示された画像表示部材と、画像出力装置とを有する画像出力システムであって、前記画像の全部または一部の領域は特定領域とされ、前記特定領域に含まれる画像は、読み取られたままでの出力が禁止され、前記画像表示部材は、前記画像の特定領域を示す特定領域データを記憶し、前記記憶された特定領域データを、外部に対して提供するデータ提供装置を有し、前記画像形成装置は、前記表示された画像を読み取る画像読取手段と、前記提供される特定領域データを読み取るデータ読取手段と、前記読み取られた画像の特定領域に含まれる画像に対して所定の処理を行う画像処理手段と、前記特定領域に対する処理がなされた画像を出力する画像出力手段とを有する。
【０００５】
［画像出力装置］
また、本発明にかかる画像出力装置は、画像表示部材に表示された画像を出力する画像出力装置であって、前記画像の全部または一部の領域は特定領域とされ、前記特定領域に含まれる画像は、読み取られたままでの出力が禁止され、前記画像表示部材は、前記画像の特定領域を示す特定領域データを記憶し、前記記憶された特定領域データを、外部に対して提供し、前記表示された画像を読み取る画像読取手段と、前記提供される特定領域データを読み取るデータ読取手段と、前記読み取られた画像の特定領域に含まれる画像に対して所定の処理を行う画像処理手段と、前記特定領域に対する処理がなされた画像を出力する画像出力手段とを有する。
【０００６】
好適には、前記画像処理手段は、前記特定領域内の画像の出力を禁止する処理を行い、前記画像出力手段は、前記特定領域以外の画像を出力する。
【０００７】
好適には、前記画像出力手段は、前記前記特定領域以外の画像を、画像形成用の部材に対して形成する。
【０００８】
好適には、前記画像処理手段は、前記特定領域内の画像を示す第１の画像データを暗号化する処理を行い、前記画像出力手段は、前記暗号化された第１の画像データと、前記特定領域以外の画像を示す第２の画像データとを出力する。
【０００９】
好適には、前記画像出力手段は、前記暗号化された第１の画像データと、前記第２の画像データとを伝送する。
【００１０】
［画像出力方法］
また、本発明にかかる画像出力方法は、画像表示部材に表示された画像を出力する画像出力方法であって、前記画像の全部または一部の領域は特定領域とされ、前記特定領域に含まれる画像は、読み取られたままでの出力が禁止され、前記画像表示部材は、前記画像の特定領域を示す特定領域データを記憶し、前記記憶された特定領域データを、外部に対して提供し、前記表示された画像を読み取り、前記提供される特定領域データを読み取り、前記読み取られた画像の特定領域に含まれる画像に対して所定の処理を行い、前記特定領域に対する処理がなされた画像を出力する。
【００１１】
［プログラム］
また、本発明にかかるプログラムは、画像表示部材に表示された画像を、コンピュータを用いて出力する画像出力装置において画像を出力するプログラムであって、前記画像の全部または一部の領域は特定領域とされ、前記特定領域に含まれる画像は、読み取られたままでの出力が禁止され、前記画像表示部材は、前記画像の特定領域を示す特定領域データを記憶し、前記記憶された特定領域データを、外部に対して提供し、前記表示された画像を読み取るステップと、前記提供される特定領域データを読み取るステップと、前記読み取られた画像の特定領域に含まれる画像に対して所定の処理を行うステップと、前記特定領域に対する処理がなされた画像を出力するステップとを前記コンピュータに実行させる。
【００１２】
【発明の実施の形態】
［第１実施形態］
以下、本発明の第１の実施形態を説明する。
本発明の第１の実施形態においては、原稿用紙（画像表示部材）に、コピーが禁止されるコピー禁止領域（特定領域）が設けられ、このコピー禁止領域から読み取られた画像の印刷（出力）が禁止され、コピー禁止領域以外から読み取られた画像のみが印刷される。
【００１３】
［コピー複合機１］
図１は、本発明にかかる画像形成方法が適応されるコピー複合機１のハードウェア構成を、その制御装置２を中心に例示する図である。
図１に示すように、コピー複合機１は、制御装置２および装置本体１０から構成される。
制御装置２は、ＣＰＵ２０２およびメモリ２０４などを含む制御装置本体２０、通信装置２２、ＨＤＤ・ＣＤ装置などの記録装置２４、ＬＣＤ表示装置あるいはＣＲＴ表示装置およびキーボード・タッチパネルなどを含むユーザインターフェース装置（ＵＩ装置）２６、および、アンテナ２８０を有するＩＣチップインターフェース（ＩＣチップＩＦ）２８から構成される。
【００１４】
［装置本体１０］
図２は、図１に示した装置本体１０のハードウェア構成を例示する図である。図２に示すように、装置本体１０は、用紙トレイ部１２、ゼログラフィなどにより画像を印刷用紙４２（図４（Ａ），（Ｂ）を参照して後述）に印刷するプリントエンジン１４、原稿用紙４０の画像を読み取るスキャナ１６、および、原稿用紙４０を送る原稿送り装置１８などから構成される。
また、装置本体１０において、ＩＣチップＩＦ２８およびアンテナ２８０は、原稿用紙４０が搬送される原稿送り装置１８の原稿搬送路の近傍に配設され、ＵＩ装置２６は、装置本体１０の上部に配設される。
つまり、コピー複合機１は、原稿送り装置１８を送られる原稿用紙４０の画像を読み取って印刷する一般的なコピー複合機に、ＩＣチップＩＦ２８およびアンテナ２８０が付加されたハードウェア構成を採る。
なお、制御装置２（図１）は、図２に示すように、実際には装置本体１０の内部に収容される。
【００１５】
［原稿用紙４０・印刷用紙４２］
図３は、図１，図２に示した原稿用紙４０を例示する図である。
図４（Ａ），（Ｂ）は、それぞれ、コピー複合機１が、図３に例示した原稿用紙４０を、印刷用紙４２にコピーして得られる画像を例示する第１および第２の図である。
図３に例示するように、原稿用紙４０には、ＩＣチップ３が、漉き込むなどの方法により付されている。
【００１６】
原稿用紙４０の表面には、読み取られた画像が削除され、あるいは、なんらかの処理を受けてから印刷・送信など（出力）される特定領域４００と、読み取られた画像がそのまま、なんらの処理も受けずに印刷・送信など（出力）されうる通常領域４０２とが設けられる。
通常領域４０２には、図３に例示するように、機密性がない画像（例えば、図３に示した「技術情報（機密），製品に採用された新技術は、以下の通りです。」）が表示されている。
また、実際には、特定領域４００には、機密性がある画像（例えば、図４（Ｂ）に例示する「１．ＣＰＵ部分：・・・・２．メモリ部分：・・・・３．ソフトウェア：・・・・」）が表示されている。
【００１７】
図４（Ａ），（Ｂ）に示すように、印刷用紙４２には、原稿用紙４０の通常領域４０２に対応する通常領域４２２と、特定領域４００に対応する特定領域４２０とがある。
ＩＣチップ３が、特定領域４００を示すなんらのデータも記憶していない場合には、原稿用紙４０が印刷用紙４２にコピーされると、図４（Ｂ）に示すように、通常領域４２２には、原稿用紙４０の通常領域４０２に表示された画像が印刷され、特定領域４２０には、原稿用紙４０の特定領域４００に表示された画像が印刷される。
一方、ＩＣチップ３が、特定領域４００を示すデータを記憶している場合には、原稿用紙４０が印刷用紙４２にコピーされると、図４（Ａ）に示すように、通常領域４２２には、原稿用紙４０の通常領域４０２に表示された画像が印刷されるが、特定領域４２０には、原稿用紙４０の特定領域４００に表示された画像は印刷されない。
【００１８】
図５は、図３に示した原稿用紙４０に付されたＩＣチップ３が記憶する情報を例示する図である。
ＩＣチップ３には、図５に例示するように、特定領域４００（図３）を示すレイアウト情報と、特定領域４００内から読み取られた画像に対する処理の内容（削除・暗号化など）を示す処理内容情報とが記憶される。
【００１９】
［ＩＣチップ３・ＩＣチップＩＦ２８］
図６は、図３に示したＩＣチップ３の構成を示す図である。
図７は、図１，図２に示したＩＣチップＩＦ２８の構成を示す図である。
図６に示すように、ＩＣチップ３は、アンテナ３００、クロック再生回路３２０、メモリ回路３２２、データ送信回路３２４および電源回路３２６から構成される。
なお、原稿用紙４０のＩＣチップ３が、アンテナ２８０のごく近傍を通過することが保証されている場合には、アンテナ３００を有さないＩＣチップ３が用いられる場合がある。
【００２０】
また、図７に示すように、ＩＣチップＩＦ２８は、送信回路２８４、受信回路２８６、送受信制御回路２８２および復調回路２８８から構成される。
以下に説明するＩＣチップ３およびＩＣチップＩＦ２８の各構成部分の動作により、ＩＣチップ３に記憶された情報（データ）が、ＩＣチップＩＦ２８により、非接触で読み取られる。
【００２１】
ＩＣチップ３（図６）において、電源回路３２６は、アンテナ３００を介して供給される電波信号を整流して、ＩＣチップ３の各構成部分に対して、それらの動作に必要な電力を供給する。
【００２２】
クロック再生回路３２０は、アンテナ３００を介してＩＣチップＩＦ２８から供給される電波信号から、クロック信号を再生し、メモリ回路３２２およびデータ送信回路３２４に対して出力する。
【００２３】
メモリ回路３２２は、クロック再生回路３２０から入力されたクロック信号に同期して、記憶した情報（図５）を示すデータを、データ送信回路３２４に対して出力する。
【００２４】
データ送信回路３２４は、クロック再生回路３２０から入力されたクロック信号に同期して、メモリ回路３２２から入力されるデータの値に従って、ＩＣチップＩＦ２８側から供給される電波信号の反射強度を変更する。
このように、メモリ回路３２２が記憶した情報を示すデータは、ＩＣチップＩＦ２８からＩＣチップ３に対して送信された電波信号の反射信号の強度を変更することにより、ＩＣチップ３からＩＣチップＩＦ２８に対して送信される。
【００２５】
ＩＣチップＩＦ２８（図７）において、送受信制御回路２８２は、ＩＣチップＩＦ２８の各構成部分の動作を制御する。
また、送受信制御回路２８２は、受信回路２８６により受信され、復調回路２８８により復調されたレイアウト情報および処理内容情報（図５）などを示すデータを、制御装置本体２０（第１の印刷・出力プログラム５０；図８を参照して後述）に対して出力する。
【００２６】
送信回路２８４は、アンテナ２８０を介して、クロック信号などを含む電波信号を、ＩＣチップ３に対して供給する。
【００２７】
受信回路２８６は、ＩＣチップ３側からの反射信号を受信し、復調回路２８８に対して出力する。
【００２８】
復調回路２８８は、受信回路２８６から入力される反射信号の変化から、ＩＣチップ３が送信したデータを復調し、送受信制御回路２８２に対して出力する。
【００２９】
［印刷・出力プログラム５０］
図８は、制御装置２（図１，図２）により実行され、本発明にかかる画像出力方法を実現する第１の印刷・出力プログラム５０の構成を示す図である。
図８に示すように、印刷・出力プログラム５は、画像読取部５００、ユーザインターフェース部（ＵＩ部）５１０、データ読取部５２０、画像処理部５３０および印刷・出力部５４０から構成される。
印刷・出力プログラム５０は、例えば記録媒体２４０（図１）を介して制御装置２に供給され、メモリ２０４にロードされて実行される。
【００３０】
印刷・出力プログラム５０において、画像読取部５００は、スキャナ１６（図２）など装置本体１０の構成部分を制御して、原稿用紙４０（図３）の画像を読み取り、画像データとして画像処理部５３０に対して出力する。
なお、以下の説明においては、特記なき場合には、画像と画像データとを特に区別しない。
【００３１】
ＵＩ部５１０は、ＵＩ装置２６（図１，図２）に対するユーザの操作（印刷開始・データ送信などを指示する操作）を受け入れ、画像処理部５３０に対して出力する。
【００３２】
データ読取部５２０は、ＩＣチップＩＦ２８を制御して、ＩＣチップ３から、レイアウト情報および処理内容情報など（図５）を示すデータを読み出させ、画像処理部５３０に対して出力する。
【００３３】
画像処理部５３０は、データ読取部５２０から入力されるデータが示す処理内容が、例えば、特定領域４００の画像の秘密扱いの処理を指示する場合には、原稿用紙４０（図３）の特定領域４００から読み取られた画像を、白一色の画像で置換することにより削除し、通常領域４０２の画像とともに印刷・出力部５４０に対して出力する。
また、画像処理部５３０は、データ読取部５２０からデータが入力されない場合、あるいは、データ読取部５２０から入力されるデータが、特になんらの処理も指示しない場合には、原稿用紙４０（図３）の特定領域４００から読み取られた画像と、通常領域４０２の画像とを印刷・出力部５４０に対して出力する。
【００３４】
印刷・出力部５４０は、画像処理部５３０から入力される画像を、印刷用紙４２（図４（Ａ），（Ｂ））に印刷する。
つまり、例えば、印刷・出力部５４０は、特定領域４００の画像が削除されている場合には、図４（Ａ）に例示した画像を印刷用紙４２に印刷し、特定領域４００の画像が削除されていない場合には、図４（Ｂ）に例示した画像を印刷用紙４２に印刷する。
【００３５】
［全体動作］
以下、コピー複合機１の全体的な動作を説明する。
図９は、コピー複合機１（第１の印刷・出力プログラム５０）の動作（Ｓ１０）を示すフローチャートである。
図９に示すように、ステップ１００（Ｓ１００）において、ユーザは、ＵＩ装置２６（図１，図２）に対して、印刷を開始するための操作を行う。
ＵＩ部５１０（図８）は、この操作を受け入れて、受け入れたデータを認証部５３０などに対して出力する。
【００３６】
ステップ１０２（Ｓ１０２）において、画像読取部５００は、スキャナ１６などを制御して、原稿用紙４０の画像を読み取る。
【００３７】
ステップ１０４（Ｓ１０４）において、データ読取部５２０は、ＩＣチップＩＦ２８を制御して、原稿送り装置１８を搬送される原稿用紙４０のＩＣチップ３からデータを読み出す。
【００３８】
ステップ１０６（Ｓ１０６）において、データ読取部５２０は、ＩＣチップ３から正常なデータの読み取りが成功したか否かを判断する。
印刷・出力プログラム５０は、ＩＣチップ３からデータの読み取りが成功した場合にはＳ１０８の処理に進む。
これ以外の場合には、画像処理部５３０は、原稿用紙４０（図３）から読み取られた画像をそのまま印刷・出力部５４０に対して出力し、印刷・出力プログラム５０はＳ１１０の処理に進む。
【００３９】
ステップ１０８（Ｓ１１０）において、画像処理部５３０は、原稿用紙４０（図３）の特定領域４００の画像を削除する。
【００４０】
ステップ１１０（Ｓ１１０）において、印刷・出力部５４０は、画像処理部５３０から入力された画像データを印刷する（図４（Ａ），（Ｂ））。
【００４１】
［第２実施形態］
以下、本発明の第２の実施形態を説明する。
本発明の第２の実施形態においては、原稿用紙の特定領域から読み取られた画像を示す画像データが暗号化され、ネットワークを介して伝送され、あるいは、記録媒体に記録（以下、伝送および記録を総称して出力とも記す）される。
【００４２】
図１０は、制御装置２（図１，図２）において、図８に示した第１の印刷・出力プログラム５０の代わりに実行され、本発明にかかる画像出力方法を実現する第２の印刷・出力プログラム５２を示す図である。
図１１は、コピー複合機１（第２の印刷・出力プログラム５２）の動作（Ｓ１２）を示すフローチャートである。
なお、図１０においては、図８に示した各構成部分と、実質的に同じ構成部分には、同一の符号が付されている。
また、図１１においては、図９に示した各処理と、実質的に同じ処理には、同一の符号が付されている。
【００４３】
［第２の印刷・出力プログラム５２］
図１０に示すように、第２の印刷・出力プログラム５２は、第１の印刷・出力プログラム５０における画像処理部５３０を、画像切出部５３２、暗号化部５３４および画像合成部５３６で置換した構成を採る。
印刷・出力プログラム５２は、これらの構成部分により、上述した原稿用紙４０（図３）の特定領域４００の画像データに対する暗号化を行い、ネットワーク（図示せず）に対する送信、あるいは、記録媒体２４０（図１）に対する記録を行う。
【００４４】
印刷・出力プログラム５２において、画像切出部５３２は、ＩＣチップ３から読み出されたデータが示す処理内容情報（図５）が、原稿用紙４０（図３）の特定領域４００の画像に対する秘密扱いの処理を指示する場合には、レイアウト情報に基づいて特定領域４００の画像を切り出し、暗号化部５３４に対して出力する。
また、この場合、画像切出部５３２は、通常領域４０２の画像を切り出して、画像合成部５３６に対して出力する。
【００４５】
暗号化部５３４は、画像切出部５３２から入力された原稿用紙４０（図３）の特定領域４００の画像を示す画像データに対して暗号化処理を行い、画像合成部５３６に対して出力する。
【００４６】
画像合成部５３６は、暗号化部５３４から入力される暗号化された原稿用紙４０（図３）の特定領域４００の画像を、画像切出部５３２から入力される通常領域４０２の画像にはめ込むように構成し、印刷・出力部５４０に対して出力する。
なお、画像切出部５３２、暗号化部５３４および画像合成部５３６は、ＩＣチップ３から読み出された処理内容情報（図５）が、原稿用紙４０（図３）の特定領域４００の画像に対する暗号化を指示しない場合には、特定領域４００および通常領域４０２の画像をそのまま、印刷・出力部５４０に対して出力する。
【００４７】
印刷・出力部５４０は、通信装置２２（図１）を制御して、画像合成部５３６から入力された画像をネットワーク（図示せず）に対して送信させ、あるいは、記録装置２４を制御して、記録媒体２４０に記憶させる。
【００４８】
［全体動作］
以下、図１１を参照してコピー複合機１（第２の印刷・出力プログラム５２）の全体的な動作を説明する。
図１１に示すように、ステップ１２０（Ｓ１２０）において、ユーザが、ＵＩ装置２６（図１）に対して、原稿用紙４０の画像（図３，図４（Ｂ））を出力させるための操作を行う。
Ｓ１２０の処理に続いて、印刷・出力プログラム５２は、図９に示したＳ１０２〜Ｓ１０６の処理を行う。
Ｓ１０６の処理において、ＩＣチップ３の読み取りが成功した場合には、印刷・出力プログラム５２はＳ１２２の処理に進む。
これ以外の場合には、画像切出部５３２、暗号化部５３４および画像合成部５３６は、原稿用紙４０（図３）の特定領域４００および通常領域４０２の画像をそのまま印刷・出力部５４０に対して出力し、Ｓ１２４の処理に進む。
【００４９】
ステップ１２２（Ｓ１２２）において、画像切出部５３２、暗号化部５３４および画像合成部５３６（図１０）は、協働して、原稿用紙４０（図３）の特定領域４００の画像データを暗号化し、通常領域４０２の画像データと合成して印刷・出力部５４０に対して出力する。
【００５０】
ステップ１２４（Ｓ１２４）において、印刷・出力部５４０は、画像合成部５３６から入力された画像を出力する。
【００５１】
【発明の効果】
以上説明したように、画像出力システムおよびその方法によれば、記憶させたデータを非接触で読み取ることができる半導体チップを応用して、画像のコピーの制限および送信制限を行うことができる。
【図面の簡単な説明】
【図１】本発明にかかる画像形成方法が適応されるコピー複合機のハードウェア構成を、その制御装置を中心に例示する図である。
【図２】図１に示した装置本体のハードウェア構成を例示する図である。
【図３】図１，図２に示した原稿用紙を例示する図である。
【図４】（Ａ），（Ｂ）は、それぞれ、コピー複合機が図３に例示した原稿用紙を、印刷用紙にコピーして得られる画像を例示する第１および第２の図である。
【図５】図３に示した原稿用紙に付されたＩＣチップが記憶する情報を例示する図である。
【図６】図３に示したＩＣチップの構成を示す図である。
【図７】図１，図２に示したＩＣチップＩＦの構成を示す図である。
【図８】制御装置（図１，図２）により実行され、本発明にかかる画像出力方法を実現する第１の印刷・出力プログラムの構成を示す図である。
【図９】コピー複合機（第１の印刷・出力プログラム）の動作（Ｓ１０）を示すフローチャートである。
【図１０】制御装置（図１，図２）において、図８に示した第１の印刷・出力プログラムの代わりに実行され、本発明にかかる画像出力方法を実現する第２の印刷・出力プログラムを示す図である。
【図１１】コピー複合機（第２の印刷・出力プログラム）の動作（Ｓ１２）を示すフローチャートである。
【符号の説明】
１・・・コピー複合機、
１０・・・装置本体、
１２・・・用紙トレイ部、
１４・・・プリントエンジン、
１６・・・スキャナ、
１８・・・原稿送り装置、
２・・・制御装置、
２０・・・制御装置本体、
２０２・・・ＣＰＵ、
２０４・・・メモリ、
２２・・・通信装置、
２４・・・記録装置、
２４０・・・記録媒体、
２６・・・ＵＩ装置、
２８・・・ＩＣチップＩＦ、
２８０・・・アンテナ、
５０，５２・・・印刷・出力プログラム、
５００・・・画像読取部、
５１０・・・ＵＩ部、
５２０・・・データ読取部、
５３０・・・画像処理部、
５３２・・・画像切出部、
５３４・・・暗号化部、
５３６・・・画像合成部、
５４０・・・印刷・出力部、
４０・・・原稿用紙、
３・・・ＩＣチップ、
３００・・・アンテナ、
３２０・・・クロック再生回路、
３２２・・・メモリ回路、
３２４・・・データ送信回路、
３２６・・・電源回路、
４００・・・特定領域、
４０２・・・通常領域、
４２・・・印刷用紙、
４２０・・・特定領域、
４２２・・・通常領域、
【図１】
2004088586.tif 000003
【図２】
2004088586.tif 000004
【図３】
2004088586.tif 000005
【図４】
2004088586.tif 000006
【図５】
2004088586.tif 000007
【図６】
2004088586.tif 000008
【図７】
2004088586.tif 000009
【図８】
2004088586.tif 000010
【図９】
2004088586.tif 000011
【図１０】
2004088586.tif 000012
【図１１】
2004088586.tif 000013